(57)【要約】【課題】足に着用した靴下が見えるサンダル等の履物を履いたときのイメージを容易に認識することのできる靴下を収納するパッケージを提供する。【解決手段】この靴下用パッケージ１００は、足甲面および足裏面のいずれかの面のみが見えるように折り畳まれた５本指ソックスＳを保持する展示販売用のパッケージであって、サンダルにおける足裏当接面を模擬した台紙Ｄ（第１台紙１１０および第２台紙１２０）と、サンダルにおける足甲を被覆するベルトを模擬した保持部１３０と、を含む。この保持部１３０は、台紙Ｄから延設され、台紙Ｄに設けられた切込部１２６に、保持部１３０の先端部１４２が挿入されることにより台紙Ｄとの間に形成された空間Ｋに、５本指ソックスＳが保持される。【選択図】図１
2018024455.tif 000002
【特許請求の範囲】
【請求項１】
足甲面および足裏面のいずれかの面のみが見えるように折り畳まれた靴下に適した靴下用パッケージであって、
足裏面または履物における足裏当接面を模擬した台紙と、
前記台紙から延設され前記台紙に設けられた切り込みにその先端が挿入されて前記台紙との間に形成された空間に前記靴下を保持する、前記履物の一部を模擬した保持部と、を含む靴下用パッケージ。
【発明の詳細な説明】
【技術分野】
【０００１】
本発明は、足を被覆する衣類である靴下を販売するときに用いられるパッケージに関し、特に、足に着用した靴下が見えるサンダル等の履物を履いたときのイメージを容易に認識できる靴下用パッケージに関する。
なお、本発明に係る靴下用パッケージが好適に適用される靴下の形状（指先の本数（指形状）および丈の長さ（丈長さ））は特に限定されるものではなく、指先が分岐していなくても、５本に分岐して５本の足指をそれぞれ挿入するようになっていても、５本以外の本数に分岐して分岐された足指毎に挿入するようになっていても（たとえば親指と親指以外の４本との２つに分岐）構わないし、丈の長さは様々で構わない。丈長さに関しては、膝下くらいまでの長さのハイソックス、ふくらはぎくらいまでの長さのスリークォーターソックス、ふくらはぎ中央くらいまでの長さのブーツソックス、ロークルーソックスよりもやや長いクルーソックス、最も一般的なロークルーソックス、足首くらいまでの長さのアンクレット、ステップインソックスやベリーショートソックスと呼ばれ長さがとても短いスニーカーソックス等を、本発明に係る靴下用パッケージに好適に適用できる。
【背景技術】
【０００２】
一般に、衣類は、需要促進、販売促進、購買意欲喚起等のため、新素材の利用、着用性、体形補正等の各種の機能性向上や種々の改良が行われ、それらの改良がなされた衣類を展示販売するために、衣類に適したパッケージが種々工夫されている。
たとえば、特許文献１（実開昭５６−４５５５号公報）は、裏装片の左右両側に衣類吊り下げ片と表装片とを前面側に召し合わせ状態に折り曲げ可能に連設し、衣類吊り下げ片を先に裏装片の前面側に折り曲げて、この衣類吊り下げ片（の上縁）に衣類（靴下）を上下方向に２つ折り状態で吊り下げ、その上に表装片を折り重ねて、この表装片の端部の係止片を裏装片の裏面側の係止孔に差し込んで止めるようにし、裏装片の上端に形成したフック部で吊り下げるようにした靴下吊り下げ具を開示する。
【先行技術文献】
【特許文献】
【０００３】
【特許文献１】実開昭５６−４５５５号公報
【発明の概要】
【発明が解決しようとする課題】
【０００４】
しかしながら、特許文献１に開示された靴下吊り下げ具では、足に着用した靴下が見えるサンダル等の履物を履いたときのイメージを認識することができない。
本発明は、従来技術の上述の問題点に鑑みて開発されたものであり、その目的とするところは、靴下（指形状も丈長さも限定されない）の販売に用いられる靴下用パッケージであって、足に着用した靴下が見えるサンダル等の履物を履いたときのイメージを容易に認識することのできる靴下用パッケージを提供することである。
【課題を解決するための手段】
【０００５】
上記目的を達成するため、本発明に係る靴下用パッケージは以下の技術的手段を講じている。
すなわち、本発明の靴下用パッケージは、足甲面および足裏面のいずれかの面のみが見えるように折り畳まれた靴下に適した靴下用パッケージであって、足裏面または履物における足裏当接面を模擬した台紙と、前記台紙から延設され前記台紙に設けられた切り込みにその先端が挿入されて前記台紙との間に形成された空間に前記靴下を保持する、前記履物の一部を模擬した保持部と、を含む。
【０００６】
好ましくは、前記靴下を収納する袋状の透明な個装フィルムをさらに含み、前記個装フィルムに収納された靴下が、前記空間に保持されるように構成することができる。
さらに好ましくは、前記靴下用パッケージの形状に対応する袋状の透明な外装フィルムをさらに含み、前記靴下が保持された靴下用パッケージが前記外装フィルムに収納されるように構成することができる。
【発明の効果】
【０００７】
本発明の靴下用パッケージによれば、靴下（指形状も丈長さも限定されない）の販売に用いられる靴下用パッケージであって、足に着用した靴下が見えるサンダル等の履物を履いたときのイメージを容易に認識することのできる靴下用パッケージを提供することができる。
【図面の簡単な説明】
【０００８】
【図１】本発明の実施の形態に係る靴下用パッケージについての（Ａ）全体斜視図、（Ｂ）展開図、（Ｃ）（Ａ）に示す矢示Ｃ方向から見た断面図である。
【図２】図１に示す靴下用パッケージを用いて靴下をパッケージングする手順を説明するための図である。
【図３】図２に対応した図であって、靴下をパッケージングする手順を説明するための図であって、図１（Ａ）に示す矢示Ｃ方向から見た断面図である。
【発明を実施するための形態】
【０００９】
以下、本発明の実施の形態に係る靴下用パッケージ１００を、図面に基づき詳しく説明する。なお、以下においては、靴下用パッケージ１００に包装されて展示販売される靴下は、限定されるものではないが、指先が５本に分岐して５本の足指をそれぞれ挿入するようになっている、ロークルーソックスまたはスニーカーソックス程度の丈長さを備えた５本指ソックス（以下において単にソックスと記載する場合がある）Ｓであるとして説明する。また、以下においては、この靴下用パッケージ１００の全体を斜視図で示した図１（Ａ）における上下左右方向を基準として説明する。
【００１０】
また、この靴下用パッケージ１００に収納されて展示販売される靴下が左右非対称の形状を備える場合には、この靴下用パッケージ１００は右足用および左足用のいずれかの形状となる。以下においてはこの靴下用パッケージ１００が適用される５本指ソックスＳは左右非対称の形状を備えるために、この靴下用パッケージ１００は右足用および左足用のいずれかの形状となり、以下においては、この靴下用パッケージ１００は左足用であるとして説明する。ただし、後述するように、１個の靴下用パッケージ１００には１足分のソックス（右足用および左足用の１個ずつ）が保持されて収納される。
【００１１】
図１〜図３に、本実施の形態に係る靴下用パッケージ１００を説明するための図を示す。これら図に示すように、この靴下用パッケージ１００は、足甲面および足裏面のいずれかの面のみ（ここでは足甲面のみ）が見えるように折り畳まれた５本指ソックスＳを保持する展示販売用のパッケージであって、足裏面または履物における足裏当接面（ここでは履物であるサンダルにおける足裏当接面）を模擬した台紙Ｄ（第１台紙１１０および第２台紙１２０）と、履物の一部（ここでは履物であるサンダルにおける足甲を被覆するベルト）を模擬した保持部１３０と、を含む。この保持部１３０は、台紙Ｄから延設され、台紙Ｄに設けられた切込部１２６に、保持部１３０の先端部１４２が挿入されることにより台紙Ｄとの間に形成された空間Ｋに、５本指ソックスＳが保持される。
【００１２】
ここで、５本指ソックスＳを袋状の透明な個装フィルムに収納してから空間Ｋに保持されるようにしても構わないし、空間Ｋに５本指ソックスＳ（または個装フィルムに収納された５本指ソックスＳ）を保持してからこの靴下用パッケージ１００を袋状の透明な外装フィルムを被せるようにしても構わない。なお、個装フィルムおよび外装フィルムは、本発明における必須の構成要件ではなく、袋状であることも必須でもない（透明であることは必須である）。
【００１３】
この靴下用パッケージ１００は、図１（Ｂ）の展開図に示すように、所定の形状を備え、予め定められた位置に折り目および切り欠き（穴部を含む）を有する平面材である硬質の紙製または樹脂製（素材は限定されるものではなく、たとえば樹脂コーティングされた紙でも構わない）のシートを折り目で折り曲げ、その過程で５本指ソックスＳを空間Ｋに保持させて、台紙Ｄに設けられた切込部１２６に、保持部１３０の先端部１４２が挿入されることにより、靴下用パッケージ１００が図１（Ａ）および図２（Ｅ）に示す形状に形成される。なお、図１（Ａ）および図２（Ｅ）に示す形状に靴下用パッケージ１００形成した後に、５本指ソックスＳを空間Ｋに保持させても構わない（要するに手順は問わない
）。
【００１４】
このように空間Ｋに５本指ソックスＳが保持されることにより５本指ソックスＳが収納された靴下用パッケージ１００は、商品展示台に設けられた略水平なステーＴ（棒状部材）に吊り下げるための穴部Ａ（第１台紙１１０における第１穴部１１２および第２台紙１２０おける第２穴部１２２）を備え、この穴部Ａを用いて、図１（Ａ）に示すように、商品展示台に設けられたステーＴに靴下用パッケージ１００が吊り下げられる。
【００１５】
台紙Ｄ（第１台紙１１０および第２台紙１２０）が履物であるサンダルにおける足裏当接面を模擬したデザインであって、保持部１３０が履物であるサンダルにおける足甲を被覆するベルトを模擬したデザインであるために、足に着用した５本指ソックスＳが見えるサンダル等の履物を履いたときのイメージを容易に認識することができる。なお、この靴下用パッケージ１００は、穴部Ａに替えて、吊り下げ用のフックを備えるようにしても構わない。
【００１６】
また、図１（Ａ）に示すように、この靴下用パッケージ１００が商品展示台に設けられたステーＴに吊り下げた状態において、商品購入者から見える台紙Ｄ（より詳しくは第１台紙１１０）の領域１１４または商品購入者がこの靴下用パッケージ１００を表裏をひっくり返すと見える台紙Ｄ（より詳しくは第２台紙１２０）の領域１２４には、商品の効果等を含む商品説明が記載されることが好ましい。商品説明の一例としては、展示商品する商品である５本指ソックスＳについての、商品名、素材、サイズ、色、特徴、機能、取扱注意事項、製造販売元および価格情報等がある。
【００１７】
さらに、（詳しくは後述するが）この靴下用パッケージ１００においては、長い丈の靴下を収納する場合には足指部を含む足甲部以外を折り畳んで空間Ｋに保持させることにより、足に着用した靴下が見えるサンダル等の履物を履いたときのイメージを展示販売するときに容易に認識することができるとともに、靴下の平面状態の面積を小さくできるために領域１１４を大きく確保できるので、商品購入者がこの靴下用パッケージ１００を表裏をひっくり返すことなく商品購入者に訴求する商品説明を領域１１４に記載できる点で好ましい。
【００１８】
以下において、さらに詳しく、本実施の形態に係る靴下用パッケージ１００について、図１〜図３を参照して説明する。
台紙Ｄは、履物であるサンダルにおける足裏当接面を模擬（デザイン）した、第１台紙１１０および第２台紙１２０により構成される。足裏当接面を模擬（デザイン）とは、台紙Ｄの形状および色彩に加えて人が視覚により認識できる形態を模擬していることを示す。第１台紙１１０には第１穴部１１２および領域１１４、第２台紙１２０は第２穴部１２２および領域１１４をそれぞれ備え、さらに第２台紙１２０は保持部１３０の先端部１４２が挿入される切込部１２６を備える。
【００１９】
保持部１３０は、第２台紙１２０から（第１台紙１１０とは反対側に）延設され、履物であるサンダルの一部である足甲を被覆するベルトを模擬（デザイン）している。履物の一部を模擬（デザイン）とは、保持部１３０の形状および色彩に加えて人が視覚により認識できる形態を模擬していることを示す。この保持部１３０は、第２台紙１２０側から、図１（Ｃ）に示す平面形状を備えた、第１厚み形成部１３２、ベルト模擬部１３４、第２厚み形成部１３８、縮小切片部１４０および第２台紙１２０の切込部１２６に挿入される先端部１４２を備える。ここで、この靴下用パッケージ１００が模擬したサンダルは２本のベルトを備えるために、この靴下用パッケージ１００においてもベルト模擬部１３４を２本備え、これらの２本のベルト模擬部１３４の間にはベルト空間部１３６が形成されている。
【００２０】
次に、図２および図３を主として参照して、この靴下用パッケージ１００を用いて５本指ソックスＳをパッケージング（空間部Ｋに保持して収納）する手順を説明する。なお、図３は図１（Ａ）に示す矢示Ｃ方向から見た断面図である。また、図３（Ａ）は図２（Ａ）に、図３（Ｂ）は図２（Ｂ）に、図３（Ｃ−１）および図３（Ｃ−２）は図２（Ｃ）に、図３（Ｄ−１）および図３（Ｄ−２）は図２（Ｄ）に、図３（Ｅ）は図２（Ｅ）に、それぞれ対応する。また、図３の矢示Ｒ（１）は図２の矢示Ｒ（１）に、図３の矢示Ｒ（２
−１）および矢示Ｒ（２−２）は図２の矢示Ｒ（２）に、図３の矢示Ｒ（３−１）、矢示Ｒ（３−２）および矢示Ｒ（３−３）は図２の矢示Ｒ（３）に、それぞれ対応する。また、図３においては、折り目（折り曲げ線を断面図で表した折り目）について、折り曲げ前を黒丸印を付して（折り曲げ後は黒丸印を削除）、その折り目の中で該当する説明にて折り曲げる折り目をＸ印を付している。
【００２１】
まず、この靴下用パッケージ１００に収納する５本指ソックスＳの１足分である右足用ソックスおよび左足用ソックスをそれぞれの足底部を対向するように（足裏部どうしを当接させるようにして）重ね合わせる。なお、この靴下用パッケージ１００に収納する５本指ソックスＳは、（この靴下用パッケージ１００が左足用であるので）左足用のみであっても構わない。
【００２２】
この場合において、靴下の丈の長さが長くて、第１台紙１１０の領域１１４が靴下により隠れてしまう場合には、図２（Ａ）に示すように足指部を含む足甲部以外を折り畳むことが好ましい。これにより、５本指ソックスＳの全長Ｌ（１）を長さＬ（２）にして、空間Ｋに５本指ソックスＳを保持させても第１台紙１１０の領域１１４が靴下により隠れてしまうことがない。
【００２３】
次に、図２（Ａ）および図３（Ａ）に示すように、第１台紙１１０と第２台紙１２０との間の折り目で、矢示Ｒ（１）方向へ第１台紙１１０を約１８０°折り曲げる。
次に、図２（Ｂ）および図３（Ｂ）に示すように、折り曲げた第１台紙１１０に５本指ソックスＳを載置する。このとき、第１台紙１１０の領域１１４が５本指ソックスＳにより隠れてしまわないように載置する。
【００２４】
次に、図２（Ｃ）、図３（Ｃ−１）および図３（Ｃ−２）に示すように、第２台紙１２０と第１厚み形成部１３２との間の折り目で、矢示Ｒ（２）方向へ保持部１３０を約１８０°折り曲げる。より詳しくは、矢示Ｒ（２）方向への保持部１３０の折り曲げは、以下のようになる。
図３（Ｃ−１）に示すように、第２台紙１２０と第１厚み形成部１３２との間の折り目で、矢示Ｒ（２−１）方向へ保持部１３０（ここでは第１厚み形成部１３２、ベルト模擬部１３４、第２厚み形成部１３８、縮小切片部１４０および先端部１４２）を図３（Ｃ−２）に示すように約９０°折り曲げる。
【００２５】
図３（Ｃ−２）に示すように、第１厚み形成部１３２とベルト模擬部１３４との間の折り目で、矢示Ｒ（２−２）方向へ保持部１３０（ここではベルト模擬部１３４、第２厚み形成部１３８、縮小切片部１４０および先端部１４２）を図３（Ｄ−１）に示すように約９０°折り曲げる。
次に、図２（Ｄ）、図３（Ｄ−１）および図３（Ｄ−２）に示すように、ベルト模擬部１３４と第２厚み形成部１３８との間の折り目で、矢示Ｒ（３）方向へ保持部１３０を約１８０°折り曲げる。より詳しくは、矢示Ｒ（３）方向への保持部１３０の折り曲げは、以下のようになる。
【００２６】
図３（Ｄ−１）に示すように、ベルト模擬部１３４と第２厚み形成部１３８との間の折り目で、矢示Ｒ（３−１）方向へ保持部１３０（ここでは第２厚み形成部１３８、縮小切片部１４０および先端部１４２）を図３（Ｄ−２）に示すように約９０°折り曲げる。
図３（Ｄ−２）に示すように、第２厚み形成部１３８と縮小切片部１４０との間の折り目で、矢示Ｒ（３−２）方向へ保持部１３０（ここでは縮小切片部１４０および先端部１４２）を図３（Ｅ）に示すように約９０°折り曲げる。
【００２７】
図３（Ｅ）に示すように、矢示Ｒ（３−３）方向へ先端部１４２を折り曲げて、第２台紙１２０の切込部１２６に先端部１４２を挿入して、図２（Ｅ）に示すように５本指ソックスＳがこの靴下用パッケージ１００に収納されて、この靴下用パッケージ１００の穴部Ａ（第１台紙１１０における第１穴部１１２および第２台紙１２０おける第２穴部１２２）に商品展示台に設けられた略水平なステーＴ（棒状部材）が貫通されて、図１（Ａ）に示すようにこの靴下用パッケージ１００が吊り下げられる。
【００２８】
台紙Ｄ（第１台紙１１０および第２台紙１２０）が履物であるサンダルにおける足裏当接面を模擬したデザインであって、保持部１３０が履物であるサンダルにおける足甲を被
覆するベルトを模擬したデザインであるために、足に着用した５本指ソックスＳが見えるサンダル等の履物を履いたときのイメージを容易に認識することができる。
この場合において、台紙Ｄ（第１台紙１１０および第２台紙１２０の少なくとも一方）に設けられた小穴（図示しない）と５本指ソックスＳとを貫通するようにタグピン（値札等を商品に取り付けるナイロン等の小さいピン）が設けられることにより、空間Ｋに保持された５本指ソックスＳがこの靴下用パッケージ１００から離脱しないように保持される。
【００２９】
なお、空間Ｋに保持された５本指ソックスＳは、図１（Ｃ）の矢示Ｆで示す押圧力を、第１台紙１１０から受ける。このため、５本指ソックスＳは、空間Ｋにおいて、第１台紙１１０とベルト模擬部１３４との間で矢示Ｆで示す押圧力を受けて保持される。このとき、上記のタグピンの有無にかかわらず、この靴下用パッケージから５本指ソックスＳがずり落ちないように、５本指ソックスＳの厚みに対して第１厚み形成部１３４および第２厚み形成部１３８の厚み方向寸法を決定することも好ましい。なお、この靴下用パッケージから５本指ソックスＳが確実にずり落ちないように、上記のタグピンに替えて／加えて、５本指ソックスＳの一部を挿入して保持する切り欠きまたは５本指ソックスＳの一部を折り返した部分を係止して保持する切片を台紙Ｄに設けるようにしても構わない。
【００３０】
以上のようにして、本実施の形態に係る靴下用パッケージ１００によると、様々な丈長さの靴下に好適な靴下用パッケージであって、足に着用した靴下が見えるサンダル等の履物を履いたときのイメージを容易に認識することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３１】
本発明は、靴下を展示販売するパッケージに好適であり、足に着用した靴下が見えるサンダル等の履物を履いたときのイメージを容易に認識することのできる点で特に好適である。
【符号の説明】
【００３２】
１００    靴下用パッケージ
１１４  領域
１２４  領域
１２６  切込部
１３０保持部
１３２  第１厚み形成部
１３４  ベルト模擬部
１３６  ベルト空間部
１３８  第２厚み形成部
１４０  縮小切片部
１４２  先端部
Ｄ  台紙（第１台紙１１０、第２台紙１２０）
Ａ  穴部（第１穴部１１２、第２穴部１２２）
Ｓ  ５本指ソックス
Ｔ  （商品展示台の）ステー
Ｋ  空間
【図１】
2018024455.tif 000003
【図２】
2018024455.tif 000004
【図３】
2018024455.tif 000005